(57)【特許請求の範囲】
【請求項１】
少なくとも１つのターミナル装置を備えたネットワークにおいてメッセージを送出する方法であって、
メッセージジェネレータにおいて、メッセージを発生し、
上記メッセージジェネレータにおいて、上記メッセージを受信するための条件を設定し、
上記メッセージジェネレータからメッセージ送出装置へ上記メッセージを送信し、
上記メッセージ送出装置が、上記条件に基づき上記メッセージは上記ターミナル装置によって受信されるべきかどうか判断し、
上記判断の結果に基づき上記メッセージ送出装置から上記ターミナル装置へ上記メッセージを送信し、
上記メッセージジェネレータのユーザである上記メッセージの発信者が送出レポートの受信を許されるかどうか、上記ターミナル装置において判断し、
上記メッセージの上記発信者が許される場合だけ上記送出レポートを上記ターミナル装置から上記メッセージジェネレータに送信することを含み、
送出レポートの受信が許されたメッセージの発信者のリストがデータベースに記憶されていることを特徴とする方法。
【請求項２】
上記条件は、上記ターミナル装置の位置である請求項１に記載の方法。
【請求項３】
上記メッセージの任意フィールドに上記条件に関する情報を含ませることを更に含む請求項１に記載の方法。
【請求項４】
上記条件を満足しないと判断した場合に上記ターミナル装置がインアクティブ又はビジーであると決定することを更に含む請求項１に記載の方法。
【請求項５】
送出レポートの受信が許されたユーザのグループを定義することを更に含み、前記判断において、上記受信メッセージの発信者が上記ユーザグループのメンバーであるかどうか判断する請求項１に記載の方法。
【請求項６】
上記ユーザグループを識別するグループ識別子を上記メッセージに付加することを更に含む請求項５に記載の方法。
【請求項７】
上記メッセージは、マルチメディアメッセージである請求項１に記載の方法。
【請求項８】
上記ネットワークは移動ネットワークであり、そして上記ターミナル装置は移動ターミナル装置である請求項１に記載の方法。
【請求項９】
ネットワークにおいてメッセージを送出するためのネットワークシステムであって、
メッセージ送出装置と、
ターミナル装置とを備え、
上記メッセージ送出装置は、
上記メッセージを受信するための条件に基づき上記ターミナル装置により上記メッセージを受信すべきかどうか判断するための判断手段と、
該判断手段の判断結果に基づいて上記メッセージを上記ターミナル装置に送信するための送信手段とを含み、
上記ターミナル装置は、
上記メッセージの受信に応答して送出レポートを送信すべきか否か判定するための判定手段と、
上記送出レポートを送信すべきであると上記判定手段が判定した場合に上記送出レポートを送信するための送信手段と、
送出レポートの受信が許されたメッセージの発信者のリストが記憶され、上記判定手段によりアクセスされるデータベースと、
を含むことを特徴とするネットワークシステム。
【請求項１０】
上記ターミナル装置によりメッセージを受信するための条件を設定する設定手段を更に備えた請求項９に記載のシステム。
【請求項１１】
上記条件は、上記ターミナル装置の位置である請求項９に記載のシステム。
【請求項１２】
上記メッセージは、上記条件に関する情報が含まれる任意フィールドを含む請求項９に記載のシステム。
【請求項１３】
上記メッセージ送出装置は、更に、上記判断手段が上記条件を満足しないと判断した場合に上記ターミナル装置に到達し得ないと決定するための決定手段を備えた請求項９に記載のシステム。
【請求項１４】
送出レポートの受信が許されたユーザのグループが定義され、そして
上記判定手段は、上記受信メッセージの発信者が上記ユーザグループのメンバーであるかどうか検出する請求項９に記載のシステム。
【請求項１５】
上記ユーザグループを識別するグループ識別子が上記メッセージに付加される請求項１４に記載のシステム。
【請求項１６】
上記メッセージは、マルチメディアメッセージである請求項９に記載のシステム。
【請求項１７】
上記ネットワークは移動ネットワークであり、そして上記ターミナル装置は移動ターミナル装置である請求項９に記載のシステム。
【請求項１８】
ネットワークに使用するためにメッセージを受信するための条件が設定されたメッセージを受信するターミナル装置であって、
上記メッセージを受信するための受信手段と、
上記メッセージの受信に応答して送出レポートを送信すべきかどうか判定するための判定手段と、
上記判定手段が上記送出レポートを送信すべきであると判定した場合に上記送出レポートを送信するための送信手段と、
送出レポートの受信が許されたメッセージの発信者のリストが記憶され、上記判定手段によりアクセスされるデータベースと、
を備えることを特徴とするターミナル装置。
【請求項１９】
上記条件は、上記ターミナル装置の位置である請求項１８に記載のターミナル装置。
【請求項２０】
上記メッセージは、マルチメディアメッセージである請求項１８に記載のターミナル装置。
【請求項２１】
上記ネットワークは移動ネットワークであり、そして上記ターミナル装置は移動ターミナル装置である請求項１８に記載のターミナル装置。
【発明の詳細な説明】
【０００１】
【技術分野】
本発明は、少なくとも１つのターミナル装置を含むネットワークにおいてメッセージを送出するための方法及びネットワークシステムに係る。
【０００２】
【背景技術】
本発明は、メッセージの送出、特に、いわゆるマルチメディアメッセージングサービス（ＭＭＳ）により送出されるマルチメディアメッセージの送出に係る。マルチメディアメッセージ（ＭＭ）は、映像、ビデオクリップ、音声、スピーチ等、又はそれらの任意の組合せのようなあらゆる種類のメッセージを含むことができる。
技術的な観点から、ＭＭＳは、記憶及び転送形態で部分的に動作する非リアルタイムサービスを提供する。マルチメディアメッセージは、エアインターフェイス（例えば、ＧＰＲＳエアインターフェイス、ワイヤレスＬＡＮ、ＵＭＴＳ等）を使用して送信される。
【０００３】
マルチメディアメッセージは、ネットワーク（例えばイントラネット）の識別されたユーザ／アプリケーションから移動ステーション（ＭＳ）へ、ＭＳからネットワーク（イントラネット又はインターネット）へ或いはＭＳから別のＭＳへ送信することができる。
更に、ＭＭＳの重要な機能を与えるネットワーク要素は、いわゆるマルチメディアメッセージングサービスセンター（ＭＭＳＣ）である。このＭＭＳＣは、記憶及び転送機能を含み、これは、マルチメディアメッセージをデータベースに記憶し、そしてそれらを受信者移動ステーション（ＭＳ）へ送信するよう試みる。このため、ＭＭＳＣは、ＭＳに到達し得るようになったときにそれが自動的に通知される。
マルチメディアメッセージは、通常、有効周期を有する。これらのメッセージは、この有効周期中にＭＳへ送出できなかった場合に、それらが記憶されたＭＭＳＣのデータベースから除去される。
【０００４】
メッセージの送出に関し、移動着信マルチメディアメッセージは、２つの送出オプションを有する。即ち、マルチメディアメッセージが受信者ＭＳに自動的に送信されるか、或いは例えばＳＭＳを使用して到着したマルチメディアメッセージが受信者に通知される。通知は、少なくともメッセージのサイズとメッセージの識別を含む。次いで、ユーザは、ＭＳにマルチメディアメッセージを送るようにネットワークに明確に要求することができる。送出オプション間の選択は、メッセージのサイズ又はメッセージの内容形式に基づくものである。例えば、１０００ｋＢ未満のメッセージがＭＳへ自動的に送出されるか、或いはテキスト及び音声メッセージがＭＳへ自動的に送出されるように設定することができる。
【０００５】
メッセージを送信するときに、メッセージを受信者ＭＳに送信することが常に有用でないことがしばしばある。例えば、このようなメッセージが特定の町に関する旅行者情報を含む場合には、このメッセージを、この町から去ったユーザに送信することは有用でない。
これは、メッセージが一般的に著しく大きなマルチメディアメッセージである場合に特に問題となる。従って、このようなメッセージが送信されるが、それが必要とされない場合には、それに対応するネットワークが、望ましからぬ大きな負荷を受けることになる。
【０００６】
【発明の開示】
それ故、本発明の目的は、公知技術の上記欠点を解消することである。
この目的は、請求項１に記載の方法により達成される。より詳細には、本発明によれば、少なくとも１つのターミナル装置を備えたネットワークにおいてメッセージを送出する方法が提供される。この方法は、メッセージを発生し、メッセージを受信するための条件を設定し、この条件に基づきメッセージをターミナル装置によって受信すべきかどうか判断し、そしてこの判断段階の結果に基づいてターミナル装置へメッセージを送信するという段階を含む。
【０００７】
又、上記目的は、ネットワークにおいてメッセージを送出するための請求項１２に記載のネットワークシステムにより達成される。このネットワークシステムは、メッセージ送出装置とターミナル装置とを備えている。メッセージ送出装置は、メッセージを受信するための条件に基づきターミナル装置によりメッセージを受信すべきかどうか判断するための判断手段を備えている。更に、メッセージ送出装置は、判断手段の判断結果に基づいてメッセージをターミナル装置に送信するための送信手段も備えている。
【０００８】
従って、本発明の方法及びシステムにより、ターミナルにメッセージを送出するための条件を設定することができる。即ち、この条件が満足されない場合は、メッセージが送出されない。このメッセージにより、ネットワークの負荷が減少される。というのは、必要とされないメッセージが送信されないからである。
更に、本発明は、送出レポートを受け取るための条件を設定する請求項２４に記載のレポート送出条件設定装置を提案する。このレポート送出条件設定装置は、ターミナル装置によりメッセージを受信するための条件を設定する設定手段と、上記条件を含むメッセージをメッセージ送出装置へ供給するための供給手段とを備えている。
【０００９】
更に、本発明は、ターミナル装置によりメッセージを受信するための条件が設定されたメッセージをネットワークにおいて送出するための請求項２９に記載のメッセージ送出装置を提案する。このメッセージ送出装置は、上記条件に基づきメッセージをターミナル装置により受信すべきかどうか判断するための判断手段と、この判断手段の判断結果に基づきターミナル装置にメッセージを送信するための送信手段とを備えている。
更に、本発明は、ネットワークに使用するためにメッセージを受信するための条件が設定されたメッセージを受信する請求項３５に記載のターミナル装置を提案する。このターミナル装置は、メッセージを受信するための受信手段と、メッセージの受信に応答して送出レポートを送信すべきかどうか判定するための判定手段と、この判定手段が上記送出レポートを送信すべきであると判定した場合に上記送出レポートを送信するための送信手段とを備えている。
【００１０】
更に別の効果的な実施形態は、従属請求項に記載する。
より詳細には、メッセージを受信するか又は受信しないように設定される条件は、例えば、ターミナルの位置である。即ち、メッセージの送出は、ターミナル即ちユーザが特定のエリアにいるかどうかに基づいて行うことができる。これは、アドバータイズメントや特定エリアに関する旅行者情報等を送信するのに有用である。
位置は、例えば、ターミナルの最新位置を得るための移動位置センター（ＭＬＣ）にアクセスすることにより検出できる。又、位置は、例えば、ホーム位置レジスタ（ＨＬＲ）又はビジター位置レジスタ（ＶＬＲ）において得ることもできる。このように、ネットワークに既に実施されているネットワーク要素を参照することにより最新の位置を容易に得ることができる。
【００１１】
メッセージを受信するための他の条件も考えられる。例えば、メッセージの発信者を、ターミナル装置即ち移動ステーションのデータベースにリストすることができる。従って、ターミナル装置のユーザが常に特定の発信者からメッセージを受信することに関心がある場合には、この発信者をこのようなデータベースに含ませることができる。従って、メッセージの受信を容易に行うことができる。
更に、発信者は、ネットワーク側で定義されたグループに属することができる。従って、ターミナル装置のユーザが常にこの発信者グループからメッセージを受信することに関心がある場合には、このグループをデータベースにリストすることができる。
【００１２】
更に、メッセージの受信者は、一般的なメッセージ或いは所与の形式又は分類のメッセージを受信する意志に関して特定の状態にいることができる。受信者の状態は、判断手段によって質問することができる。メッセージの分類状態は、例えば、許可のないアドバータイズメント形式のメッセージングを防止するために発信者側でネットワークによって自動的に設定される。
メッセージを受信するための条件に関する情報は、メッセージの任意フィールドに含ませることができる。従って、判断段階が必要とされるかどうかを判定するのに必要な情報をメッセージ内で容易に検出することができる。
【００１３】
更に、条件が満足されないと判断された場合には、ターミナル装置をインアクティブ又はビジーであると決定することができる。従って、このようなターミナル装置は、そのときターミナルが使用できない場合と同様に取り扱うことができる。即ち、条件を満足しないメッセージを取り扱う特殊な手順は、必要でない。更に、通常の通信（例えば、電話コール又はファックス送信）に対して考えられることであるが、メッセージの送出を後で再び試みなければならないかどうか、或いはメッセージを全く送出してはならないかどうかを検出することもできる。
送出レポートは、メッセージの発信者、即ちマルチメディアメッセージジェネレータ１のユーザへ送信することができる。しかしながら、メッセージの発信者が送出レポートの受信を許された場合にしか送出レポートを送信できないように構成することができる。従って、ユーザのプライバシーが考慮される。即ち、このようにして、ユーザは、誰かがユーザの位置を同意なく追跡できることを回避することができる。
【００１４】
特定ターミナルから送出レポートを受信することが許された発信者は、データベースのリストに記憶することができる。従って、ユーザは、メッセージの各受信に対し、送出レポートを送信すべきかどうか判断する必要がない。
或いは、送出レポートを受信するユーザのグループを定義することができる。即ち、発信者が送出レポートの受信を許されたかどうか判断する場合には、発信者がグループのメンバーであるかどうかの検出で充分である。これは、判断を簡単化する。
【００１５】
更に、発信者をこのようなユーザグループのメンバーとして識別するために、グループ識別子をメッセージに付加又は取り付けることができる。従って、容易な検出が可能となる。
メッセージは、マルチメディアメッセージでよい。この場合に、マルチメディアメッセージは通常大きなものであるから、上記効果は、非常に重要なものとなる。それ故、必要とされないメッセージによるネットワークの負荷を著しく減少することができる。
更に、ネットワークは、移動ネットワークであり、そしてターミナル装置は、移動ステーションである。本発明は、特に、移動ネットワークの場合に効果的である。というのは、移動ネットワークは、通常、大きなメッセージを送信するための容量が限定されているからである。
【００１６】
【発明を実施するための最良の形態】
本発明は、添付図面を参照することにより容易に理解できよう。
以下、添付図面を参照して、本発明の好ましい実施形態を詳細に説明する。
図１は、本発明の実施形態によるネットワークシステムの一般的な構造を示す。この実施形態によれば、マルチメディアメッセージは、移動ネットワークを経て送出される。ネットワークシステムは、マルチメディアメッセージジェネレータ１と、メッセージ送出装置の一例であるマルチメディアメッセージサービスセンターＭＭＳＣ２と、移動ネットワーク３と、マルチメディアメッセージを受信及び再生するためのターミナル装置の一例である移動ステーションＭＳ４とを備えている。
【００１７】
説明及び図面の簡略化のために、本発明にとって重要なネットワーク要素しか示されていないことに注意されたい。従って、ベースステーションＢＳ、ベースステーションコントローラＢＳＣ、移動サービス交換センターＭＳＣ等のネットワーク要素は、省略されている。
以下、図１を参照して、上述した個々のネットワーク要素及びそれらの機能を詳細に説明する。
マルチメディアメッセージジェネレータ１は、マルチメディアメッセージを発生して移動ネットワークへ送信する装置である。このネットワーク要素により、ユーザは、マルチメディアメッセージを発生することができる。マルチメディアメッセージジェネレータ１は、例えば、このようなマルチメディアメッセージを発生するように構成された移動ステーションでもよい。しかしながら、この実施形態では、マルチメディアメッセージジェネレータ１は固定であり、そして固定ネットワークを経てＭＭＳＣ２に接続される。
【００１８】
マルチメディアメッセージジェネレータ１は、モデムを含むコンピュータにより実現することもできるし（この場合、マルチメディアメッセージは、インターネット又はイントラネットを経てＭＭＳＣに送信される）、或いは特殊な設計のターミナル等によって実現することもできる。
本発明によるマルチメディアメッセージジェネレータ１の特定の特徴は、ＭＳ４によりマルチメディアメッセージを受信するための条件をユーザが設定できることである。この実施形態では、条件は、ＭＳ４の位置である。即ち、ＭＳ４があるエリアに位置する場合だけメッセージをＭＳ４に送信しなければならない。例えば、位置条件は、ＭＳ４が特定の町に位置するか、或いはそのホーム公衆地上移動ネットワーク（ＨＰＬＭＮ）、母国、ヨーロッパ等に位置するというものである。マルチメディアメッセージジェネレータ１は、メッセージに関する条件を設定することのできる条件設定手段１１を備えている。この実施形態では、条件設定手段１１は、マルチメディアメッセージの任意フィールドに位置条件に関する情報を設定する。位置に関する情報を含むマルチメディアメッセージは、メッセージ送信器１２によりＭＭＳＣ２へ送信される。
【００１９】
ＭＭＳＣ２は、導入部で既に述べたように、マルチメディアメッセージを送出するのに必要なネットワーク要素である。この実施形態では、ＭＭＳＣは、受信のための条件を設定できるようにメッセージを送出する機能により拡張されている。説明を簡略化するために、これらの付加的な手段だけを図１に示して説明する。
ＭＭＳＣ２は、マルチメディアメッセージジェネレータ１から受信されたマルチメディアメッセージを検査するためのマルチメディアメッセージ送出判断手段２１を備えている。これは、マルチメディアメッセージの任意フィールドをチェックすることにより行われる。即ち、マルチメディアメッセージ送出判断手段２１は、位置条件情報を抽出する。マルチメディアメッセージ送出判断手段２１は、マルチメディアメッセージの通常のアドレスブロックから、マルチメディアメッセージをどの移動ステーションに送信すべきか知る。
【００２０】
従って、移動ステーションＭＳ４の現在位置を検出しなければならない。この実施形態では、判断手段２１、即ちＭＭＳＣは、ＭＳ４に関する必要な位置情報を与える移動位置センターＭＬＣ５にアクセスする。このネットワーク要素又は同様の要素が全ての移動ネットワークに通常設けられることに注意されたい。
従って、マルチメディアメッセージ送出判断手段２１は、メッセージに対する位置条件と、ＭＬＣ５から受信した位置情報とに基づき、条件が満足されるかどうか、即ちＭＳ４が所要のエリアに位置するかどうか判断する。
条件が満足されない場合には、ＭＭＳＣ２の欠陥返送手段２２がマルチメディアメッセージジェネレータ１にメッセージを返送する。特に、このメッセージは、ＭＳ４を使用できない場合のものと同じメッセージである。従って、メッセージジェネレータ１にとって、ＭＳ４は、到達し得ないと考えられる。
【００２１】
条件が満足される場合には、マルチメディアメッセージは、メッセージ送信器２３により移動ネットワーク３を経てＭＳ４へ送信される。
マルチメディアメッセージは、ＭＳ４のマルチメディアメッセージ受信器４１により受信される。マルチメディアメッセージは、次いで、例えば、ディスプレイ及びスピーカの組合せであるメッセージ再現手段４２を使用することによって再現される。
更に、ＭＳ４は、送出レポートハンドラー４３を備えている。このハンドラー４３は、送出レポートを送信すべきかどうか判定するように働く。即ち、ジェネレータ１のユーザは、ＭＳ４によるマルチメディアメッセージの受信に応答して送出レポートを自分に返送すべきかどうか選択することができる。しかしながら、これにより、ＭＳ４のユーザの位置を追跡することができる。ユーザは、メッセージの発信者がユーザの位置を知ることを望まないことがあり、ハンドラー４３を設けることにより、望ましからぬ送出レポートの送信を回避することができる。
【００２２】
この実施形態では、送出レポートハンドラー４３は、ＭＳ４のユーザが、送出レポートを受信できる発信者のリストを記憶している発信者データベース４４にアクセスする。或いは又、このような発信者リストは、ネットワーク、即ち適当なネットワーク要素、例えば、ＭＭＳＣに記憶することもできる。更に、送出レポートの受信が許されたユーザのグループを定義することもできる。この場合には、グループ識別子をメッセージに付加又は取り付けて、送出レポートハンドラー４３が、メッセージに（例えば、対応する任意フィールドに）グループ識別子が存在するかどうか、そしてこのグループのメンバーが送出レポートの受信を許されているかどうかチェックすればよいようにする。又、グループ識別子は、データベース４４に記憶することもできる。
【００２３】
現在マルチメディアメッセージの発信者が送出レポートの受信を許されている場合には、送出レポートが送出レポート送信器４５により移動ネットワーク３を経てメッセージジェネレータ１に送信される。
この実施形態による方法を、図２及び３に示すフローチャートを参照して要約する。
ステップＳ１及びＳ４は、メッセージジェネレータにより実行される。即ち、メッセージが発生される（ステップＳ１）。次いで、マルチメディアメッセージを受信するための条件が設定される（ステップＳ２）。ここに示す実施形態では、条件が、位置条件である。受信条件情報は、マルチメディアメッセージの任意フィールドに設定され（ステップＳ３）、そしてマルチメディアメッセージは、ＭＭＳＣ２に供給される（ステップＳ４）。
【００２４】
ＭＭＳＣ２は、マルチメディアメッセージの受信条件情報にアクセスし（ステップＳ５）、そして受信条件を満足するかどうか判断する（ステップＳ６）。受信条件を満足しない場合には（ステップＳ６がノー）、ＭＳ４がインアクティブ又はビジーであるというメッセージがマルチメディアメッセージジェネレータ１に送信される。受信条件を満足する場合には（ステップＳ６がイエス）、マルチメディアメッセージが移動ネットワーク３を経てＭＳ４に実際に送信される。
ＭＳ４では、マルチメディアメッセージが再生される。マルチメディアメッセージを受信するのに応答して、送出レポート取り扱い手順が実行され（ステップＳ９）、これは、図３に示すフローチャートを参照して説明する。この手順は、送出レポートハンドラー４３により実行される。
【００２５】
先ず、ステップＳ９１において、現在マルチメディアメッセージに対して送出レポートが要求されるかどうか決定される。送出レポートが要求されない（ステップＳ９１がノーである）場合には、手順が直ちに終了となる。送出レポートが要求される（ステップＳ９１がイエスである）場合には、発信者データベース４４がアクセスされる（ステップＳ９２）。次いで、ステップＳ９３において、現在マルチメディアメッセージの発信者が送出レポートの受信を許されているかどうか決定される。即ち、現在マルチメディアメッセージの発信者がデータベース４４に見つからない場合には、現在発信者が送出レポートの受信を許されていないと決定され（ステップＳ９３がノー）、送出レポートを送信せずに手順が終了となる。
【００２６】
一方、現在発信者がデータベース４４に見つかる場合には、現在発信者が送出レポートを受信できると決定され（ステップＳ９３がイエス）、そして送出レポートが発信者へ送信される（ステップＳ９４）。
この実施形態の変形によれば、ＭＳ４は、発信者データベース４４を備えていない。むしろ、送出レポートハンドラー４３が、オペレーションパネル（図示せず）を備え、これにより、ＭＳ４のユーザは、現在マルチメディアメッセージの送出レポートの送信を希望するかどうか入力することができる。従って、ユーザは、各マルチメディアメッセージに対し送出レポートに関して判断しなければならない。しかしながら、このやり方は、データベースを必要としないので、ＭＳ４の構造を簡単化でき、そのコストを節減できるという効果を有する。
【００２７】
以上の説明及び添付図面は、本発明を一例として例示するものに過ぎない。従って、本発明の実施形態及びその変形態様は、特許請求の範囲内で種々変更し得るものである。例えば、実施形態及びその変形態様を組合せることができる。即ち、現在マルチメディアメッセージの発信者がデータベース４４内に見つからない場合に、ユーザがそれでも送出レポートの送信を希望するかどうかについて、ユーザが入力しなければならないようにＭＳ４を構成することができる。更に、新しい発信者をデータベース４４に記憶することを希望するかどうかについてユーザに尋ねることができる。
【００２８】
或いは又、ＭＳにデフォールト値を与えることもできる。このようなデフォールト値は、送出レポートの送信に使用され、そして例えば、常時送信／常時確認／決して送信せず、を指示することができる。従って、ＭＳのユーザは、送出レポートの送信を容易に制御する更なる可能性を有する。
更に、上述した実施形態によれば、メッセージ送出装置が、ＭＭＳ（マルチメディアメッセージサービス）のための一般的な制御要素であるＭＭＳＣに含まれる。しかしながら、この装置は、適宜、個別のネットワーク要素でもよいし又は他のネットワーク要素に含まれてもよい。
更に、マルチメディアメッセージジェネレータは、移動ステーションの一部分であってもよく、そしてメッセージジェネレータとＭＭＳＣ（マルチメディアメッセージ送出装置）との間の接続は、移動ネットワークによって与えることもできる。又、ターミナル装置４は、移動ステーションに限定されず、固定ステーションであってもよい。
【００２９】
更に、上述した実施形態では、条件設定手段１１は、マルチメディアメッセージジェネレータ１の一部分として説明した。しかしながら、条件設定手段は、独立したネットワーク要素でもよい。例えば、メッセージは、異なるアドミニストレーションのもとで別のネットワークに発生することができ、一方、条件は、現在ネットワーク、例えば、プロキシーサーバー等に設定することができる。
最後に、上記の条件は、位置条件に限定されない。例えば、アドレスされたターミナルのユーザに関するある情報を使用して、条件を設定することができる。この場合に、マルチメディアメッセージ送出判断手段２１は、対応するデータベース、例えば、ＨＬＲ又はＶＬＲ或いはより精巧なデータベースにアクセスできるように対応的に変更されねばならない。
【００３０】
或いは又、ユーザが、メッセージの受信を希望するかどうか前もって判断できるように構成することもできる。例えば、メッセージの発信者をターミナル装置即ち移動ステーションのデータベースにリストすることができる。従って、ターミナル装置のユーザが特定の発信者からメッセージを受信することに常に関心がある場合には、この発信者をそのようなデータベースに含ませることができる。従って、メッセージの受信を容易に許すことができる。又、このような発信者を発信者グループに含ませることもできる。従って、このグループをデータベースに含ませることができる。
【００３１】
更に、メッセージの受信者は、一般的なメッセージ或いは所与の形式又は分類のメッセージを受信する意志に関して特定の状態にいることができる。受信者の状態は、判断手段によって質問することができる。メッセージの分類状態は、例えば、許可のないアドバータイズメント形式のメッセージングを防止するために発信者側でネットワークによって自動的に設定されてもよい。
【図面の簡単な説明】
【図１】  本発明の実施形態によるネットワークシステムの構造を示す図である。
【図２】  本発明の実施形態によるマルチメディアメッセージの送出手順を示すフローチャートである。
【図３】  本発明の実施形態による送出レポートの取り扱い手順を示すフローチャートである。
【図１】
0004067305.tif 000002
【図２】
0004067305.tif 000003
【図３】
0004067305.tif 000004